(57)【要約】      （修正有）【課題】ペットの食欲不振やストレスの解消、発情期の鎮静化を図ることができるとともに、ペットを誘引することができるというマタタビの効能を利用してペットの水分摂取量を増加させ、尿量が少ないことにより発症しがちな様々な障害に対する予防、又は、改善を図り、ペットの健康促進を図ることのできるペット用誘引成分抽出バッグを提供する。【解決手段】内容物１３を収容可能に袋状に形成したバッグ材１２を備え、上記バッグ材１２を、上記内容物１３からの抽出成分を含む液体を外側へ滲出可能な通水性を有して形成し、上記内容物１３は、ペットを誘引する成分を含むマタタビ１７からなり、上記バッグ材１２には、適宜、吊糸１５を備えて、ペット用誘引成分抽出バッグ１１を構成する。【選択図】図２
0003146533.tif 000002
【実用新案登録請求の範囲】
【請求項１】
内容物を収容可能に袋状に形成したバッグ材を備え、
上記バッグ材を、上記内容物からの抽出成分を含む液体を外側へ滲出可能な通水性を有して形成し、
上記内容物は、ペットを誘引する成分を含むマタタビからなる
ペット用誘引成分抽出バッグ。
【請求項２】
上記バッグ材に吊糸を備えた
請求項１に記載のペット用誘引成分抽出バッグ。
【請求項３】
上記バッグ材を、不織布で形成した
請求項１、又は、請求項２に記載のペット用誘引成分抽出バッグ。
【請求項４】
上記マタタビは、マタタビの葉からなる
請求項１から請求項３のうちいずれか１項に記載のペット用誘引成分抽出バッグ。
【請求項５】
上記マタタビの葉は、蒸した状態で揉んで乾燥させたマタタビの葉からなる
請求項４に記載のペット用誘引成分抽出バッグ。
【請求項６】
上記マタタビは、上記マタタビの葉に粉状のマタタビの実を含有してなる
請求項４、又は、請求項５に記載のペット用誘引成分抽出バッグ。
【請求項７】
上記内容物に桑を含有した
請求項１から請求項６のうちいずれか１項に記載のペット用誘引成分抽出バッグ。
【請求項８】
上記内容物に栄養成分を含有した
請求項１から請求項７のうちいずれか１項に記載のペット用誘引成分抽出バッグ。
【考案の詳細な説明】
【技術分野】
【０００１】
この考案は、猫や犬などのペットの食欲不振、ストレス、発情期の鎮静作用として効果のあるマタタビを用いたペット用補助食品に関し、詳しくは、尿路結石症、尿路感染症といった下部尿路の障害、糖尿病、腎臓疾患の予防、又は、改善のため、ペットの水分摂取量の増加を図るために用いるペット用誘引成分抽出バッグに関する。
【背景技術】
【０００２】
マタタビは、人間に対しては、腰痛、神経痛、リウマチなどに対して効果があり、漢方薬としてもよく用いられている。
【０００３】
このようなマタタビを含有したペット用補助食品は、ペットに与えることにより、ペットの食欲不振やストレスの解消や、発情期の鎮静化を図ることができるとして従来よりペットに対しても用いられている。
【０００４】
特許文献１における「動物用食品及びその製造方法」もその１つである。  
特許文献１における「動物用食品」は、発酵液により発酵させたパパイヤなどの発酵物を含み、その他にも適宜、マタタビなどの野草が含まれる動物用の食品である。
【０００５】
上記「動物用食品」は、マタタビを含有した発酵乾燥物を粉末加工して製品化されているため、ペットフードに振りかけてペットに与えることができ、このようなペットフードをペットが食べることで、マタタビの効能により、ペットの食欲不振やストレスの解消、発情期の鎮静化を図ることができる。
【０００６】
ところで、猫や犬は、例えば、結晶尿、尿路結石症、尿道栓、細菌性膀胱炎といった様々な障害を煩い易く、これら障害の予備群を含めると多くのペットが含まれることになる。
【０００７】
例えば、尿路における結石形成は、猫や犬の双方に見られる状態であるが、殊に、猫に多く見られる状態である。これは猫は元々、水をあまり飲まない動物であるため、尿が濃縮され（比重が高くなり）易く、尿がミネラル過飽和となりがちであるからである。このため、猫に対する水分摂取を促すことで、尿中のミネラル濃度を低下させることができ、結石形成の抑制を図ることができるばかりか、尿路結石を溶解することも期待できる。
【０００８】
このように、ペットの尿の頻度を増加させることが重要であるが、ペットに水を強引に与えようとすれば、ペットにとってストレスとなるため、ペットが摂取する水分量を増加させることは困難であった。
【特許文献１】特許第３９６２３２４号公報
【考案の開示】
【考案が解決しようとする課題】
【０００９】
そこで本考案では、ペットの食欲不振やストレスの解消、発情期の鎮静化を図ることができるとともに、ペットを誘引することができるというマタタビの効能を利用してペットの水分摂取量を増加させ、尿量が少ないことにより発症しがちな様々な障害に対する予防、又は、改善を図り、ペットの健康促進を図ることのできるペット用誘引成分抽出バッグの提供を目的とする。
【課題を解決するための手段】
【００１０】
本考案のペット用誘引成分抽出バッグは、内容物を収容可能に袋状に形成したバッグ材を備え、上記バッグ材を、上記内容物からの抽出成分を含む液体を外側へ滲出可能な通水性を有して形成することを特徴とし、さらに、上記内容物は、ペットを誘引する成分を含むマタタビからなることを特徴とする。
【００１１】
上記構成により、ペット用誘引成分抽出バッグは、水などの液体に浸漬させることにより、バッグ材の内部に収容したマタタビの成分が抽出し、抽出成分を含有する液体をバッグ材の外側へ滲出させることができる。
【００１２】
これにより、ペットは、飲料用液体に滲出したマタタビの成分に誘引され、自ら進んで液体を飲むため、ペットの水分摂取量の増加を図ることができる。
【００１３】
殊に、猫は、普段、水をあまり飲まず、水分摂取量が少ない動物であるが、マタタビの誘引作用により水を飲むようになり、水分摂取量を増加させることができるため、ペットが猫である場合、本考案により奏する効果を顕著に得ることができる。
【００１４】
このように、ペットの水分摂取量が増加すれば、下尿路の障害や、糖尿病、腎臓疾患といった疾患に対する予防や改善を図ることができ、ペットの健康促進を実現することができる。その他にも、授乳の際には、子猫に対する授乳量の増加を図ることもできる。
【００１５】
さらに、マタタビの抽出成分を含有する液体を、ペットが飲むことで、マタタビが本来有する、ペットの食欲不振、ストレス、発情期の鎮静作用といった効能を得ることができる。また、マタタビの有する尿の臭いを抑制することができるという効能も得ることができる。
【００１６】
さらにまた、ペット用誘引成分抽出バッグは、バッグ材に内容物を収容した構成であるため、液体に浸漬しても容易に引き上げることができ、内容物の成分が滲出する限り、繰り返し用いることができる。
【００１７】
本考案のペット用誘引成分抽出バッグは、液体に浸漬させる時間に応じて液体中に内容物の成分が抽出されるため、液体に浸漬させて引き上げるまでの時間に基いて液体に含まれるマタタビの成分濃度を任意に調節することができる。
【００１８】
また、本考案のペット用誘引成分抽出バッグのは、使用前においては、乾燥した状態の内容物とバッグ材の体積にしか満たないため、複数個備えても嵩張ることなく保管することができる。
【００１９】
さらに、マタタビは、人間も古くから食している天然の草木であるため、害が無く安全であり、塩分や糖分も含有していため、ペット用誘引成分抽出バッグは、日常的に安心して用いることができる。
【００２０】
ここで、上記ペットとは、猫をはじめ、犬などのマタタビに含まれる成分に対して効能があらわれる動物であればよい。
【００２１】
上記液体は、常温の水であっても、湯であってもよい。また、牛乳などであってもよい。
【００２２】
また、上記バッグ材は、水に浸漬させて抽出した内容物の成分を含む液体が内側から外側へ滲出可能な通水性を有して形成したものであれば、材質、形状など特に限定しない。
【００２３】
例えば、バッグ材は、不織布、ポリエステルやナイロンなどの化学繊維、紙、とうもろこしのでんぷんなどの天然素材を原料として形成することができる。
【００２４】
また、バッグ材は、正面視矩形をした扁平型、ピラミッド型、風船型など様々な形態で形成することができる。
【００２５】
またこの考案の態様として、ペット用誘引成分抽出バッグは、上記バッグ材に吊糸を備えて構成することが好ましい。
【００２６】
上記構成により、人（飼い主）は、吊糸を指で摘むなどして把持することができるため、手が濡れることなくペット用誘引成分抽出バッグを、液体に対して容易に出し入れすることができる。
【００２７】
例えば、ペット用誘引成分抽出バッグを、液体に浸漬した状態で上下動させるなどして動かすことで内容物をバッグ材の内部において攪拌させることができる。  
よって、マタタビの抽出成分を、短時間で効率的に液体に滲出させることができる。
【００２８】
また、ペットが猫である場合には、吊糸を指で摘んで例えば、ペット用誘引成分抽出バッグを上下動させることで、その動き自体と、拡散するマタタビの臭いとで、猫の興味を惹きつけることができ、猫がストレスの発散を図るための玩具として用いることもできる。
【００２９】
またこの考案の態様として、上記バッグ材を、不織布で形成することができる。
【００３０】
このように形成することで、ペット用誘引成分抽出バッグを液体に浸漬すると、内容物自体は、バッグ材の内部に収容しておくことができ、内容物から抽出した抽出成分のみを不織布繊維の隙間を通じて外側へ滲出させることができる。
【００３１】
またこの考案の態様として、上記マタタビは、マタタビの葉で構成することができる。
【００３２】
このように、ビタミンなどの様々な成分が豊富に含まれるマタタビの葉を内容物とすることで、マタタビの葉に有する様々な成分を液体に抽出させることができる。
【００３３】
またこの考案の態様として上記マタタビの葉は、蒸した状態で揉んで乾燥させたマタタビの葉で構成することが好ましい。
【００３４】
このように構成したマタタビの葉は、茶葉の製造と同様の製造工程で製造することができ、風味、栄養素が摘みたての状態と比較して遜色のない優れた品質のまま長期に亘って保つことができる。
【００３５】
この考案の態様として上記マタタビは、上記マタタビの葉に粉状のマタタビの実を含有して構成することができる。
【００３６】
上記構成により、マタタビの葉と実のそれぞれが有する栄養成分やその成分割合の違いにより、液体に漬けたとき、葉と実の双方の栄養成分を抽出させることができる。
【００３７】
また、実を粉状にすることで、液体に浸漬させたとき、実に含まれる栄養成分をしっかりと滲出させることができる。
【００３８】
またこの考案の態様として上記内容物に桑を含有することもできる。
【００３９】
桑には、血液の浄化作用があるため、高血圧や動脈硬化の改善を図ることができる。さらに、血糖値を下げる作用もあるため、糖尿病にも効き、肥満を防止することもできる。さらに、桑には、カルシウムが豊富に含まれているため、ペットの骨や歯を丈夫にすることができる。
【００４０】
なお、上記桑は、枝葉や根などいずれの部分を用いてもよい。さらに、桑に限らず、ペットの健康にとって有益である他の植物を内容物に含有してもよい。
【００４１】
またこの考案の態様として上記内容物に栄養成分を含有することもできる。
【００４２】
例えば、栄養成分としてたんばく質、食物繊維、ビタミン、カルシウムといった成分を挙げることができ、これら栄養成分を含む内容物に含有することで、ペットフードだけでは不足しがちな栄養を効果的に補うことができる。
【考案の効果】
【００４３】
本考案のペット用誘引成分抽出バッグにより、ペットの食欲不振やストレスの解消、発情期の鎮静化を図ることができるとともに、ペットを誘引することができるというマタタビの効能を利用してペットの水分摂取量を増加させ、尿量が少ないことにより発症しがちな様々な障害に対する予防、又は、改善を図り、ペットの健康促進を図ることのできる。
【考案を実施するための最良の形態】
【００４４】
この考案の一実施形態を、以下図面を用いて説明する。  
図１は、本実施形態におけるペット用誘引成分抽出バッグ１１の外観図であり、図２は、一部省略して示したペット用誘引成分抽出バッグ１１の幅方向Ｗ（図１参照）における中央部分の縦断面図である。図３は、後述するバッグ材１２に収容する内容物１３の説明図である。
【００４５】
上記ペット用誘引成分抽出バッグ１１は、全体をティーバッグと略同様の外観構成で形成している。  
詳しくは、上記ペット用誘引成分抽出バッグ１１は、バッグ本体部１４と該バッグ本体部１４を吊り下げる吊糸１５とで形成し、バッグ本体部１４には、開口部を有しない袋状に形成したバッグ材１２と、該バッグ材１２の内部に収容される内容物１３とで構成される。上記内容物１３には、古くから殊に猫に対して食欲低下、気力消失などの改善のために用いられているマタタビ１７を、主な原材料として含有している。
【００４６】
上記バッグ材１２は、内容物１３からの抽出成分を含む液体を外側へ滲出可能な通水性を有した不織布で形成し、正面視すると矩形をした扁平形状で形成している。袋状のバッグ材１２は、開口部がなく、内容物１３を収容した後で外側へ流出しないよう全体を封止して形成している。
【００４７】
吊糸１５は、約１００ｍｍの長さで形成し、その長さ方向の一方の端部をバッグ材１２の上部に固着している。さらに、長さ方向の他方の端部側（先端部分）には、例えば、人差指と親指とで摘んで把持可能な大きさの正面視矩形状で形成した紙製のタグ１８が取り付けられている。
【００４８】
なお、吊糸１５のバッグ材１２への固着は、バッグ材１２に対して結び付けることや、接着剤で接着する、ホッチキスで係止する、或いは、これら固着するための構成を組み合わせた構成など様々な形態で固着することができる。
【００４９】
上記内容物１３として用いるマタタビ１７は、枝葉や実などあらゆる部分を用いることができるが、上記ペット用誘引成分抽出バッグ１１においては、図２に示すように、マタタビ１７は、葉１７ａの部分と粉状の実１７ｂの部分とを混合してなり、全て天然で無農薬のものを用いている。
【００５０】
マタタビの葉１７ａは、単に乾燥させるだけではなく、茶の葉の製造工程と同様の工程で製造される。詳しくは、図３に示すように、マタタビの葉１７ａは、採取した天然のマタタビの葉１７ａを洗浄（水洗い）し、蒸し、揉んだ後で、乾燥させて細片状に製造される。  
なお、マタタビの葉１７ａは、適宜、乾燥させた状態でさらに粉砕して粉状としてもよい。
【００５１】
一方、マタタビの実１７ｂは、真空凍結乾燥したものを用いている。詳しくは、図３に示すように、採取した天然の実を洗浄（水洗い）し、冷凍保存する。冷蔵保存した状態で減圧、及び、真空状態とすることで乾燥させ（冷凍乾燥）、乾燥粉砕して粉状に製造している。
【００５２】
なお、マタタビ１７には、葉１７ａや実１７ｂに限らず、葉１７ａ、実１７ｂ、幹の部分のうち少なくとも１つを用いてもよい。
【００５３】
さらに内容物１３には、粉砕した粉状の桑の葉２２も含有している。
【００５４】
さらにまた、内容物１３には、栄養補助食材として例えば、カツオ粉末２３も含有している。カツオ粉末２３は、栄養成分であるカルシウムを豊富に含む食材である。
【００５５】
上述した構成のペット用誘引成分抽出バッグ１１は、以下のような一実施例で実施することができる。
【００５６】
例えば、猫を飼っている飼い主は、予め、ペットが飲むための水をトレイに溜めておき、ペット用誘引成分抽出バッグ１１の吊糸１５の先端部分のタグ１８を指先で摘んで持ち上げ、水中へバッグ本体部１４を浸漬させる。
【００５７】
さらに飼い主は、タグ１８を把持してバッグ本体部１４を水へ浸漬した状態でかるく上下動させることが好ましい。
【００５８】
このように、バッグ本体部１４を上下動することで、図４に示すようにバッグ材１２の内部で内容物１３が上下に攪拌されるため、内容物１３としてマタタビ１７の成分をはじめとして、桑の葉２２の成分やカツオ粉末２３の成分が効果的に抽出し、これら抽出成分を含む液体２５を、バッグ材１２の不織布で形成した生地を通じて外側へ滲出させることができる。  
なお、図４は、バッグ材１２の内容物１３から抽出した抽出成分を含む液体２５がバッグ材１２の内側から外側へ滲出している様子を模式的にあらわした作用説明図である。
【００５９】
猫は元々、水の摂取量が少ない動物であるが、マタタビ１７には、例えば、「マタタビラクトン」や「アクチニジン」といった猫を引き寄せることができる成分が含まれ、このような成分が水中に滲出するため、猫に、自ら進んで水を飲ませることができ、猫の水分摂取量の増加を図ることができる。
【００６０】
さらに、マタタビ１７には、利尿作用があるといわれている「ポリガモール」という成分が含まれているため、より効果的に排尿量も増加させることができる。
【００６１】
これにより、下尿路の障害や、糖尿病、腎臓疾患といった猫に多い疾患に対する予防や改善を図ることができる。さらに、その猫に子猫がいる場合には、授乳の際の授乳量の増加を図ることができるといった効果も得ることができる。
【００６２】
さらに、このように水分を補給することに起因する効果に限らず、例えば、陶酔状態になることにより、ストレス発散や、食欲不振の解消、発情期の鎮静作用、さらに尿の臭いを抑制することができるといったマタタビ１７の有する直接的な効能も得ることができる。
【００６３】
また、液体２５には、桑の葉２２から抽出した成分も滲出している。この桑の葉２２に含まれる成分は、血液の浄化作用があり、高血圧や動脈硬化を改善し、血糖値も下げて糖尿病にも効き、肥満防止といった効能があり、より一層、猫の健康増進を図ることができる。
【００６４】
さらに、液体２５には、カツオ粉末２３の成分も滲出している。ペットは、マタタビ１７の有する猫を引き寄せる成分による効能により、カツオ粉末２３に含まれるカルシウムを効率的に摂取することができ、丈夫な骨を得ることができるなど健康増進を図ることができる。
【００６５】
さらに、上記ペット用誘引成分抽出バッグ１１は、上述した作用、効果の他にも様々な作用効果を奏することができる。  
上記ペット用誘引成分抽出バッグ１１は、吊糸１５を備えているため、吊糸１５を指先で摘んで動かすだけでバッグ本体部１４を扱うことができる。このため、手が濡れたり、汚れたりせず、衛生的であり、別途、バッグ本体部１４を把持するための道具も必要としないため、扱い易い。
【００６６】
例えば、上記ペット用誘引成分抽出バッグ１１は、上述したように、水に浸漬させた状態でバッグ本体部１４を上下動させることができ、水に対する出し入れも容易に行うことができる。
【００６７】
ここで例えば、ペット用誘引成分抽出バッグ１１と比較のために、マタタビ１７の成分を予め滲出させた液体を溜めたボトル型容器を採りあげる。  
このボトル型容器を用いる場合は、ボトル型容器に溜めた液体をトレイに注ぐなどしてペットに与えることができるが、液体におけるマタタビ１７の成分濃度は、ボトル型容器に予め溜められた液体における成分濃度のまま基本的に変更することができない。
【００６８】
これに対して、上記ペット用誘引成分抽出バッグ１１は、水に浸漬させる時間、或いは、上下動させるといった動作に応じて滲出させる内容物１３の成分濃度を任意に調節することができる。
【００６９】
よって、猫の年齢、健康状態をみながら内容物１３が所望の成分濃度で滲出させた液体２５を与えることができる。
【００７０】
さらに、上述したマタタビ１７の成分を予め滲出させた液体を貯溜したボトル型容器の場合は、貯溜した液体を基本的にそのままペットに与えるため、ペットが摂取する水分量に相当する容量の液体を確保しておく必要となるため、保管の際に嵩張る。
【００７１】
これに対して、ペット用誘引成分抽出バッグ１１は、使用前において乾燥した状態の内容物１３とバッグ材１２の体積にしか満たないため、複数個備えても嵩張ることなく保管することができる。
【００７２】
また、マタタビの葉１７ａは、茶葉の製造工程と同様に、蒸した状態で揉んで乾燥させを経ることで、摘みたてのまま風味、栄養素を長期に亘って維持することができる。
【００７３】
さらに、マタタビの実１７ｂは、真空凍結乾燥により製造することで収縮や亀裂などの形態変化が少なく、素材の変性が起こり難い。よって、風味や栄養素の損失を極力低減することができ、水に漬けたとき、風味や栄養素を復元することができる。
【００７４】
さらに、マタタビの実１７ｂは、真空凍結乾燥した後で乾燥粉砕することで粉状にすることで、水に漬けたとき、実１７ｂに含まれる成分をしっかりと抽出することができる。
【００７５】
さらにまた、マタタビ１７は、葉１７ａと実１７ｂの部分を混合しているため、葉１７ａと実１７ｂのそれぞれが有する栄養成分やその割合の違いにより、葉１７ａと実１７ｂに有する双方の栄養成分を抽出させることができる。
【００７６】
また、本考案のペット用誘引成分抽出バッグは、上述した実施形態に限定せず、他の実施形態で形成することができる。
【００７７】
例えば、ペット用誘引成分抽出バッグ２１は、バッグ本体部１４に吊糸１５をつけた構成に限らず、図５に示すように、ペットが水を飲むためのトレイＴの周壁部分Ｔａに係合可能な係合部材２４を備えてもよい。  
上記係合部材２４の下部は、トレイＴの周壁部分Ｔａに上部に係合可能な係合凹部２４ａを備え、例えば、厚紙や合成樹脂により形成することができる。  
なお、図５は、バッグ本体部１４に吊糸１５の代わりに係合部材２４を備えたペット用誘引成分抽出バッグ２１をトレイに取り付けた状態を示す外観図である。
【００７８】
上記構成により、ペット用誘引成分抽出バッグ２１は、係合部材２４をトレイＴの周壁部分Ｔａに係合させてペット用誘引成分抽出バッグ１１をトレイＴに取り付けることができ、水にバッグ本体部１４を浸漬させることができる。
【００７９】
この構成の場合も、飼い主は、水に濡れたり汚れることなく、バッグ本体部１４を、トレイＴに対して容易に着脱することができる。
【００８０】
また、上記バッグ材１２は、水に浸漬させて抽出した内容物１３の成分を含む液体２５が内側から外側へ滲出可能な通水性を有して形成したものであれば、材質、形状など特に限定しない。
【００８１】
バッグ材１２の内部の内容物１３の抽出成分を含む液体が外側へ滲出可能な通水性は、不織布繊維のように繊維間に多数の微細孔を有する生地を用いるに限らず、生地自体をネット状に形成する、或いは、微細孔を有しない生地に多数の微細孔を追加工することにより得ることもできる。
【００８２】
栄養成分には、ミネラル、たんぱく質、ビタミン、カルシウム、植物繊維を挙げることができ、これら栄養成分を含む栄養補助食材を適宜、内容物１３に含有することができる。栄養補助食材は、カツオ粉２３に限らず、その他の乾燥させた魚、肉、野菜を粉砕したものを挙げることができる。
【００８３】
上述したように、本考案のペット用誘引成分抽出バッグは、上述した実施形態に限定せず、その他にも多くの実施形態で形成することができる。
【図面の簡単な説明】
【００８４】
【図１】本実施形態におけるペット用誘引成分抽出バッグの外観図。
【図２】本実施形態におけるペット用誘引成分抽出バッグの構成説明図。
【図３】本実施形態におけるペット用誘引成分抽出バッグの内容物の説明図。
【図４】本実施形態におけるペット用誘引成分抽出バッグの作用説明図。
【図５】他の実施形態におけるペット用誘引成分抽出バッグの説明図。
【符号の説明】
【００８５】
１１，２１…ペット用誘引成分抽出バッグ
１２…バッグ材
１３…内容物
１４…バッグ本体部
１５…吊糸
１７…マタタビ
１７ａ…マタタビの葉
１７ｂ…マタタビの実
２２…桑の葉
２３…カツオ粉末
２５…抽出成分を含む液体
【図１】
0003146533.tif 000003
【図２】
0003146533.tif 000004
【図３】
0003146533.tif 000005
【図４】
0003146533.tif 000006
【図５】
0003146533.tif 000007